(57)【要約】【課題】各部材の位置の精度を向上させることができる画像形成装置を提供する。【解決手段】画像形成装置は、感光体ドラム１１を支持する感光体ユニット９０と、感光体ドラム１１に圧接される転写ローラ１５と、転写ローラ１５を支持する転写ユニット６０と、感光体ユニット９０と定着部１７との間に設けられた用紙ガイド７０と、転写ユニット６０および用紙ガイド７０を支持する支持ホルダ８０とを備える。支持ホルダ８０は、可動して、転写ユニット６０および用紙ガイド７０を離接させる構成とされている。転写ユニット６０は、感光体ユニット９０に当接して位置決めする転写位置決め部が設けられている。用紙ガイド７０は、定着部１７に当接して位置決めするガイド位置決め部７１が設けられている。転写ユニット６０および用紙ガイド７０は、互いを係止する係止部ＫＤによって連結されている。【選択図】図２
2019101171.tif 000002
【特許請求の範囲】
【請求項１】
感光体に形成されたトナー像を用紙に転写する画像形成装置であって、
用紙が搬送方向で搬送される用紙搬送路と、
前記感光体を支持する感光体ユニットと、
前記用紙搬送路を介して、前記感光体に圧接される転写ローラと、
前記転写ローラを支持する転写ユニットと、
前記感光体ユニットと定着ユニットとの間に設けられ、前記搬送方向に沿って用紙を案内する用紙ガイドと、
前記転写ユニットおよび前記用紙ガイドを支持する支持ホルダとを備え、
前記支持ホルダは、可動して、前記感光体ユニットおよび前記定着ユニットに対し、前記転写ユニットおよび前記用紙ガイドを離接させる構成とされ、
前記転写ユニットは、前記支持ホルダとの間に設けられた転写付勢部材と、前記感光体ユニットに当接して位置決めする転写位置決め部とが設けられ、
前記用紙ガイドは、前記支持ホルダとの間に設けられたガイド付勢部材と、前記定着ユニットに当接して位置決めするガイド位置決め部とが設けられ、
前記転写ユニットおよび前記用紙ガイドは、互いを係止する係止部によって連結されていること
を特徴とする画像形成装置。
【請求項２】
請求項１に記載の画像形成装置であって、
前記用紙ガイドは、前記係止部を中心とした軸回りで回動すること
を特徴とする画像形成装置。
【請求項３】
請求項２に記載の画像形成装置であって、
前記ガイド位置決め部は、前記用紙ガイドのうち、前記搬送方向における前記係止部と反対側の端部に設けられていること
を特徴とする画像形成装置。
【請求項４】
請求項３に記載の画像形成装置であって、
前記ガイド付勢部材は、前記ガイド位置決め部が設けられた側の端部を、前記定着ユニットに向かう方向で付勢すること
を特徴とする画像形成装置。
【請求項５】
請求項１から請求項４までのいずれか１つに記載の画像形成装置であって、
前記転写位置決め部は、前記転写ユニットのうち、前記搬送方向で離間した２箇所に設けられ、
前記係止部は、前記搬送方向で、２つの転写位置決め部の間に設けられていること
を特徴とする画像形成装置。
【請求項６】
請求項１から請求項５までのいずれか１つに記載の画像形成装置であって、
前記用紙ガイドは、用紙を静電吸着する静電吸着板を有すること
を特徴とする画像形成装置。
【発明の詳細な説明】
【技術分野】
【０００１】
本発明は、感光体に形成されたトナー像を用紙に転写する画像形成装置に関する。
【背景技術】
【０００２】
電子写真方式の画像形成装置では、用紙搬送路を通じて搬送された用紙に対し、トナー像の転写や、加熱および加圧による定着などを経て、画像を形成している。近年、画像形成装置では、搬送不良やメンテナンスなどを考慮して、筐体の一部を可動させて、用紙搬送路を開放できる構成が提案されている（例えば、特許文献１参照）。
【先行技術文献】
【特許文献】
【０００３】
【特許文献１】特開２００２−２２９３４８号公報
【発明の概要】
【発明が解決しようとする課題】
【０００４】
特許文献１に記載の画像形成装置では、転写ローラ支持部材と定着部との間に設置される紙搬送ガイドが、右ドア部に上下動可能に取り付けられており、右ドア部を閉めることで、紙搬送ガイドが転写ローラ支持部材と定着部との間に位置決めされるように構成されている。
【０００５】
ここで、転写ローラ支持部材は、画像形成装置側に設置されたレジストローラ軸部を中心に揺動可能に設置され、右ドア部を閉める動作と連動して感光体側に付勢される複雑な構造になっている。そのため、紙搬送ガイドと転写ローラ支持部材とを係合させて位置決めする構造が、大型化してしまうという課題がある。また、両者を上手く係合できても、紙搬送ガイドが定着部側で傾いて設置されることが懸念され、紙搬送ガイドに定着部と位置決めする部分を設けない場合には、紙搬送ガイドが変位動作しなくなるという問題があった。さらに、紙搬送ガイドが定着の熱を受けて変形した際には、紙搬送ガイドにおいて、転写ローラ支持部材や定着部との隙間が変わりやすい構造になっているので、搬送された用紙が隙間に挟まって紙詰まりの要因となる虞があった。
【０００６】
本発明は、上記の課題を解決するためになされたものであり、各部材の位置の精度を向上させることができ、安定して用紙搬送を行うことができる画像形成装置を提供することを目的とする。
【課題を解決するための手段】
【０００７】
本発明に係る画像形成装置は、感光体に形成されたトナー像を用紙に転写する画像形成装置であって、用紙が搬送方向で搬送される用紙搬送路と、前記感光体を支持する感光体ユニットと、前記用紙搬送路を介して、前記感光体に圧接される転写ローラと、前記転写ローラを支持する転写ユニットと、前記感光体ユニットと定着ユニットとの間に設けられ、前記搬送方向に沿って用紙を案内する用紙ガイドと、前記転写ユニットおよび前記用紙ガイドを支持する支持ホルダとを備え、前記支持ホルダは、可動して、前記感光体ユニットおよび前記定着ユニットに対し、前記転写ユニットおよび前記用紙ガイドを離接させる構成とされ、前記転写ユニットは、前記支持ホルダとの間に設けられた転写付勢部材と、前記感光体ユニットに当接して位置決めする転写位置決め部とが設けられ、前記用紙ガイドは、前記支持ホルダとの間に設けられたガイド付勢部材と、前記定着ユニットに当接して位置決めするガイド位置決め部とが設けられ、前記転写ユニットおよび前記用紙ガイドは、互いを係止する係止部によって連結されていることを特徴とする。
【０００８】
本発明に係る画像形成装置では、前記用紙ガイドは、前記係止部を中心とした軸回りで回動する構成としてもよい。
【０００９】
本発明に係る画像形成装置では、前記ガイド位置決め部は、前記用紙ガイドのうち、前記搬送方向における前記係止部と反対側の端部に設けられている構成としてもよい。
【００１０】
本発明に係る画像形成装置では、前記ガイド付勢部材は、前記ガイド位置決め部が設けられた側の端部を、前記定着ユニットに向かう方向で付勢する構成としてもよい。
【００１１】
本発明に係る画像形成装置では、前記転写位置決め部は、前記転写ユニットのうち、前記搬送方向で離間した２箇所に設けられ、前記係止部は、前記搬送方向で、２つの転写位置決め部の間に設けられている構成としてもよい。
【００１２】
本発明に係る画像形成装置では、前記用紙ガイドは、用紙を静電吸着する静電吸着板を有する構成としてもよい。
【発明の効果】
【００１３】
本発明によると、転写ユニットおよび用紙ガイドは、感光体ユニットおよび定着ユニットに当接させた際、それぞれが位置決めされるので、位置の精度を向上させることができ、安定して用紙搬送を行うことができる。
【００１４】
また、転写ユニットと用紙ガイドとが連結されているので、互いの位置ズレを規制することができることと、互いの隙間が変動しにくい構造であることとから、用紙が転写ユニットと用紙ガイドとの間に詰まることを防止できる。
【図面の簡単な説明】
【００１５】
【図１】本発明の第１実施形態に係る画像形成装置の概略側面図である。
【図２】図１の転写ローラ近傍を示す要部拡大図である。
【図３】支持ホルダを可動させた状態での転写ローラ近傍を示す要部拡大図である。
【図４】用紙を搬送している状態での転写ローラ近傍を示す要部拡大図である。
【図５】支持ホルダと転写ユニットとを係止する部分を示す拡大断面図である。
【図６】当接カバー近傍を示す拡大断面図である。
【図７】用紙ガイドを示す概略斜視図である。
【発明を実施するための形態】
【００１６】
（第１実施形態）
以下、本発明の第１実施形態に係る画像形成装置について、図面を参照して説明する。
【００１７】
図１は、本発明の第１実施形態に係る画像形成装置の概略側面図である。
【００１８】
画像形成装置１は、外部から伝達された画像データに応じて、所定の用紙に対して単色の画像を形成する。画像形成装置１の筐体１０には、感光体ドラム１１（感光体の一例）、露光装置１２、現像装置１３、クリーナ装置１４、転写ローラ１５、帯電器１６、定着部１７（定着ユニット）、用紙搬送路Ｓ、給紙カセット２２、排紙トレイ２６、補助トレイ２８、トナーボトル３０、ダクト４０、および補助ダクト５０が設けられている。
【００１９】
感光体ドラム１１は、用紙搬送路Ｓに沿って配置され回転駆動する。帯電器１６は、感光体ドラム１１の表面を所定の電位に均一に帯電させる。露光装置１２は、感光体ドラム１１の表面を露光して静電潜像を形成する。現像装置１３は、感光体ドラム１１の表面の静電潜像を現像して、感光体ドラム１１の表面にトナー像を形成する。
【００２０】
転写ローラ１５は、感光体ドラム１１との間にニップ域が形成されており、用紙搬送路Ｓを通じて搬送されて来た用紙をニップ域に挟み込んで搬送する。用紙は、ニップ域を通過する際に、感光体ドラム１１の表面のトナー像が転写される。クリーナ装置１４は、現像および画像転写の後に感光体ドラム１１の表面の残留トナーを除去および回収する。なお、転写ローラ１５近傍の構造については、後述する図２を参照して、詳細に説明する。
【００２１】
給紙カセット２２は、画像形成に使用される用紙を蓄積するためのカセットであり、筐体１０の下部に設けられている。また、排紙トレイ２６は、筐体１０の上部に設けられており、画像形成済みの用紙を載置するためのトレイである。補助トレイ２８は、排紙トレイ２６よりも上方に設けられ、画像形成済みの用紙を載置するためのトレイである。また、用紙搬送路Ｓの右側に両面印字用の搬送路を設けた場合では、定着された用紙をスイッチバックさせて、両面印字用の搬送路に送るための用紙受け部として、補助トレイ２８を用いる構成としてもよい。
【００２２】
画像形成装置１では、給紙カセット２２から供給された用紙が、用紙搬送路Ｓを介して、転写ローラ１５や定着部１７を経由させて排紙トレイ２６に送られる。用紙搬送路Ｓは、筐体１０の一方の側壁寄り（図１では、右方）に設けられ、ピックアップローラ２３、レジストローラ２４、分岐ガイド２７、排紙ローラ２５、および補助排紙ローラ２９が配置されている。
【００２３】
ピックアップローラ２３は、給紙カセット２２の端部近傍に備えられ、給紙カセット２２から用紙を１枚ずつ用紙搬送路Ｓに供給する。レジストローラ２４は、給紙カセット２２から搬送されている用紙を一旦保持し、感光体ドラム１１上のトナー像の先端と用紙の先端とを合わせるタイミングで、用紙を転写ローラ１５に搬送する。
【００２４】
定着部１７は、定着ローラ１８および加熱ローラ２０に定着ベルト２１が巻き掛けられ、定着ベルト２１を介して定着ローラ１８に加圧ローラ１９が押圧されるようになっている。定着部１７では、未定着のトナー像が形成された用紙を定着ベルト２１と加圧ローラ１９との間に挟み込んで搬送する際に、熱と圧力とで用紙上の未定着トナー像を溶融させ、用紙に定着させる。
【００２５】
定着後の用紙は、分岐ガイド２７を経由するように搬送される。用紙搬送路Ｓは、分岐ガイド２７を起点にして、排紙ローラ２５へ向かう経路と、排紙ローラ２５よりも上方の補助排紙ローラ２９へ向かう経路とに分岐している。排紙ローラ２５を経由した用紙は、排紙トレイ２６上に排出され、補助排紙ローラ２９を経由した用紙は、補助トレイ２８上に排出される。画像形成した用紙を、排紙トレイ２６および補助トレイ２８のうち、いずれに排出するかは、分岐ガイド２７の動作によって制御することができる。
【００２６】
トナーボトル３０は、露光装置１２の上方であって、定着部１７の近傍（図１では、定着部１７の左方）に設けられており、現像装置１３へ供給するトナーを内部に貯蔵している。ダクト４０は、排紙トレイ２６と露光装置１２との間に設けられており、筐体１０の外部から取り入れた空気を内部へ送る。補助ダクト５０は、露光装置１２の下方に設けられており、筐体１０の外部から取り入れた空気を内部へ送る。
【００２７】
図２は、図１の転写ローラ近傍を示す要部拡大図であって、図３は、支持ホルダを可動させた状態での転写ローラ近傍を示す要部拡大図である。なお、図２および図３では、図面の見易さを考慮して、一部の部材とハッチングとを省略している。
【００２８】
感光体ドラム１１は、上述した現像装置１３、クリーナ装置１４、および帯電器１６などと併せて感光体ユニット９０に支持されている。感光体ユニット９０は、用紙搬送路Ｓにおける用紙の搬送方向において、感光体ドラム１１の上流側に上流側感光体当接部９１が設けられ、感光体ドラム１１の下流側に第１下流側感光体当接部９２ａおよび第２下流側感光体当接部９２ｂが設けられている。上流側感光体当接部９１、第１下流側感光体当接部９２ａ、および第２下流側感光体当接部９２ｂは、凹部や平坦な面などとされているが、これに限らず、後述する転写ユニット６０の対応する部位の形状に応じて、突起や穴などとされていてもよい。
【００２９】
感光体ユニット９０に対し、用紙搬送路Ｓを挟んで対面する側に、転写ユニット６０、用紙ガイド７０、および支持ホルダ８０が設けられている。
【００３０】
転写ローラ１５は、図示しない軸受け部を介して、転写ユニット６０に回転自在に支持されており、軸受け部と転写ユニット６０との間にローラ付勢部材６１が取り付けられている。ローラ付勢部材６１は、転写ローラ１５と転写ユニット６０とのそれぞれに端部が固定されており、転写ローラ１５を感光体ドラム１１へ向かう方向へ付勢している。
【００３１】
転写ユニット６０には、上述した上流側感光体当接部９１に対応する位置に設けられた上流側転写位置決め部６２（転写位置決め部の一例）と、上述した第１下流側感光体当接部９２ａに対応する位置に設けられた第１下流側転写位置決め部６３ａ（転写位置決め部の一例）と、上述した第２下流側感光体当接部９２ｂに対応する位置に設けられた第２下流側転写位置決め部６３ｂ（転写位置決め部の一例）とが設けられている。上流側転写位置決め部６２、第１下流側転写位置決め部６３ａ、および第２下流側転写位置決め部６３ｂは、周囲よりも、感光体ユニット９０の側へ突出した凸部とされているが、これに限らず、突起や穴などとされていてもよい。また、以下では説明のため、第１下流側転写位置決め部６３ａと第２下流側転写位置決め部６３ｂとを併せて、下流側の転写位置決め部とみなすことがある。
【００３２】
転写ユニット６０の上方、つまり、搬送方向の下流には、定着部１７が設けられており、定着部１７との間に、用紙ガイド７０が設けられている。転写ユニット６０および用紙ガイド７０は、互いを係止する係止部ＫＤによって連結されている。具体的に、係止部ＫＤは、転写ユニット６０に設けられた転写係止部６５と、用紙ガイド７０に設けられたガイド係止部７２とで構成されている。転写係止部６５は、転写ユニット６０の端部（図２では、転写ユニット６０の右上端部）に設けられており、円環状とされた部分が形成されている。ガイド係止部７２は、用紙ガイド７０の下部に設けられており、円柱状とされた部分が形成されている。つまり、ガイド係止部７２を転写係止部６５に挿入することで、用紙ガイド７０は、ガイド係止部７２を中心として回動自在な状態で、転写ユニット６０に係止される。
【００３３】
用紙ガイド７０は、用紙搬送路Ｓに面して用紙案内面７３が設けられており、上端にガイド位置決め部７１が設けられている。ガイド位置決め部７１は、定着部１７の定着受け部１７ａに向かって突出した凸部とされている。定着受け部１７ａは、定着部１７の下部に設けられている。図２では、定着受け部１７ａが用紙搬送路Ｓに重なる構造を示しているが、ガイド位置決め部７１および定着受け部１７ａは、用紙の幅方向において、用紙と重ならない位置に設けられており、用紙の搬送を阻害しない。また、用紙の幅方向において位置が異なるように、ガイド位置決め部７１および定着受け部１７ａを複数設けてもよい。
【００３４】
転写ユニット６０および用紙ガイド７０は、支持ホルダ８０に支持されている。支持ホルダ８０は、転写ユニット６０および用紙ガイド７０に対し、感光体ユニット９０と反対側に設けられている。画像形成装置１は、筐体の側面の一部を開閉できる構造とされており、支持ホルダ８０は、ネジ８６などによって側面に固定されている。つまり、側面を開いた際、支持ホルダ８０、転写ユニット６０、および用紙ガイド７０も併せて可動する（図３参照）。
【００３５】
支持ホルダ８０には、転写ユニット６０との間に、転写付勢部材８１が設けられている。転写付勢部材８１は、例えば、コイルバネであって、一端が支持ホルダ８０の第１固定ボス８２に固定されており、他端が当接カバー８３に覆われている。当接カバー８３は、一端が開放された筒状とされており、閉塞している他端が転写ユニット６０の当接面６４に接している。当接面６４は、転写ユニット６０のうち、感光体ユニット９０と反対側の面に位置している。転写ユニット６０は、感光体ユニット９０に向かう方向へ、当接カバー８３を介して転写付勢部材８１に付勢されている。
【００３６】
また、支持ホルダ８０には、用紙ガイド７０との間に、ガイド付勢部材８４が設けられている。ガイド付勢部材８４は、例えば、コイルバネであって、一端が支持ホルダ８０の第２固定ボス８５に固定されており、他端が用紙ガイドのガイドボス７５に固定されている。ガイドボス７５は、用紙ガイド７０の上端に設けられている。つまり、用紙ガイド７０の上端には、定着部１７に面する側にガイド位置決め部７１が設けられ、支持ホルダ８０に面する側にガイドボス７５が設けられている。用紙ガイド７０は、定着部１７に向かう方向へ、ガイド付勢部材８４に付勢されている。このように、ガイド位置決め部７１に対応する部分を付勢しているので、ガイド位置決め部７１と定着受け部１７ａとが確実に当接する。
【００３７】
支持ホルダ８０と用紙ガイド７０とは、ホルダ係止部８７とガイド抜け止め部７４とによって係止されている。ガイド抜け止め部７４は、支持ホルダ８０の側面に沿うように設けられ、開口部を有している。ホルダ係止部８７は、支持ホルダ８０の側面から、ガイド抜け止め部７４の開口部へ挿入されるように形成された凸部とされている。ガイド抜け止め部７４の開口部は、ホルダ係止部８７より大きく形成されている。つまり、用紙ガイド７０が回転した際、ホルダ係止部８７が開口部の端部に引っ掛かるので、用紙ガイド７０が回転する範囲を規制することができる。
【００３８】
図３に示すように、支持ホルダ８０を可動させることで、転写ユニット６０および用紙ガイド７０は、感光体ユニット９０および定着部１７から離間する。これによって、用紙搬送路Ｓが開放され、紙詰まりやメンテナンスの際の作業性が向上する。
【００３９】
図３に示す状態から、画像形成装置１の側面を閉じて、支持ホルダ８０を再度可動させることで、転写ユニット６０および用紙ガイド７０は、感光体ユニット９０および定着部１７に当接する。この際、上流側感光体当接部９１に対し、上流側転写位置決め部６２が当接し、第１下流側感光体当接部９２ａに対し、第１下流側転写位置決め部６３ａが当接し、第２下流側感光体当接部９２ｂに対し、第２下流側転写位置決め部６３ｂが当接することによって、感光体ユニット９０に対する転写ユニット６０の位置が定められる。感光体ドラム１１に転写ローラ１５を押圧する力は、ローラ付勢部材６１によって調整することができるので、搬送する用紙の厚さが異なる場合でも、感光体ユニット９０と転写ユニット６０との位置関係が変わらない。転写付勢部材８１は、ローラ付勢部材６１よりも付勢する力が強く設定されている。なお、上流側感光体当接部９１および上流側転写位置決め部６２など、感光体ユニット９０と転写ユニット６０とで当接する部分は、用紙の幅方向において、用紙と重ならない位置に設けられており、用紙の搬送を阻害しない。また、用紙の幅方向において位置が異なるように、感光体ユニット９０と転写ユニット６０とで当接する部分を複数設けてもよい。
【００４０】
また、画像形成装置１の側面を閉じた際には、定着受け部１７ａに対し、ガイド位置決め部７１が当接することによって、定着部１７に対する用紙ガイド７０の位置が定められる。
【００４１】
上述したように、転写ユニット６０および用紙ガイド７０は、感光体ユニット９０および定着部１７に当接させた際、それぞれが位置決めされるので、取付位置精度を向上させることができ、安定して用紙搬送を行うことができる。また、転写ユニット６０と用紙ガイド７０とが連結されているので、互いの位置ズレを規制することができることと、互いの隙間が変動しにくい構造であることから、用紙が転写ユニット６０と用紙ガイド７０との間に詰まることを防止できる。
【００４２】
本実施の形態では、転写位置決め部は、転写ユニット６０のうち、用紙の搬送方向で離間した上流側と下流側との２箇所に設けられている。そして、係止部ＫＤは、用紙の搬送方向で、２箇所の転写位置決め部の間に設けられている。このように、複数箇所で位置決めすることにより、取付位置の精度をより向上させることができる。
【００４３】
図４は、用紙を搬送している状態での転写ローラ近傍を示す要部拡大図である。
【００４４】
感光体ユニット９０と定着部１７との間において、用紙搬送路Ｓは、用紙ガイド７０の側に向かって突出するように、湾曲した経路とされている。これは、定着部１７と転写ユニット６０とに間に搬送される用紙Ｐに撓みがないと、用紙Ｐが定着部１７（定着ローラ１８等）と転写ユニット６０（転写ローラ１５等）との間で突っ張って、シワや画像乱れを起こすことに対処するために設定されている。通常は、定着部１７と転写ユニット６０との間で用紙Ｐに撓みが発生するように、転写ユニット６０での用紙搬送速度に対して、定着部１７での用紙搬送速度が若干遅くなるように設定されている。
【００４５】
ところが、搬送される用紙Ｐの厚さやサイズなどによって、用紙Ｐの撓み量がまれに変動し、用紙ガイド７０へ向かって大きく湾曲することがある。しかし、その場合でも、用紙ガイド７０は、用紙Ｐに押されて、用紙搬送路Ｓから離れる方向（矢符Ｒの方向）へ回動するので、用紙Ｐの撓みを吸収できる。このように、用紙Ｐの撓みなどが変動しても、用紙ガイド７０が回動して用紙Ｐが通過する領域の広さを調整し、しわや画像乱れの発生を抑制できる。
【００４６】
また、用紙ガイド７０が係止部ＫＤを支点にして回動可能になっており、係止部ＫＤが用紙搬送路Ｓより支持ホルダ８０の側に設置されているため、支点と作用点との関係から、用紙Ｐの先端が用紙案内面７３に単に接触しただけでは、用紙ガイド７０は回動することない。そして、定着部１７および転写ユニット６０の両方に挟持された用紙Ｐにおいて、撓み量が所定量より増加したときにだけ、効果的に用紙ガイド７０を回動させることができる。
【００４７】
また、ガイド位置決め部７１は、用紙ガイド７０のうち、用紙Ｐの搬送方向で係止部ＫＤと反対側の端部に設けられており、係止部ＫＤとガイド位置決め部７１との間の距離をできるだけ長くすることで、弱い力でも用紙ガイド７０を回動させることができ、用紙ガイド７０でより確実に調整することができる。
【００４８】
（第２実施形態）
次に、本発明の第２実施形態に係る画像形成装置について、図面を参照して説明する。なお、第２実施形態に係る画像形成装置の構造については、第１実施形態と略同様であるので、説明および図面を省略する。
【００４９】
第２実施形態は、第１実施形態に対して、支持ホルダ８０と転写ユニット６０とを接続する部分に違いが設けられている。以下に示す図５および図６を参照して、各部を詳細に説明する。
【００５０】
図５は、支持ホルダと転写ユニットとを係止する部分を示す拡大断面図である。
【００５１】
支持ホルダ８０と転写ユニット６０とでは、互いに引っ掛かる部分が設けられている。具体的に、支持ホルダ８０は、転写ユニット６０に面する部分を一部切り欠いた形状とされ、切り欠いた部分の一部を覆うホルダ止め部８８が設けられている。そして、転写ユニット６０には、支持ホルダ８０の切り欠かれた部分に向かって突出し、先端を屈曲させた転写規制部６６が設けられている。転写規制部６６は、支持ホルダ８０と転写ユニット６０とを組み合わせた際、一部が支持ホルダ８０の内部に挿入されており、先端の屈曲した部分がホルダ止め部８８と対向している。そのため、支持ホルダ８０と転写ユニット６０とが互いに離れる方向へ移動した際、転写規制部６６は、転写付勢部材８１の付勢力によって移動するが、ホルダ止め部８８に引っ掛かるので、支持ホルダ８０と転写ユニット６０とが離間しないように規制することができる。
【００５２】
図６は、当接カバー近傍を示す拡大断面図である。
【００５３】
当接カバー８３は、一部が支持ホルダ８０の内部に収納されており、支持ホルダ８０の側面から突出した先端が転写ユニット６０に接している。当接カバー８３には、先端側よりも外径が大きく形成されたカバー止め部８３ａが設けられている。支持ホルダ８０には、当接カバー８３に対応した位置に、カバー挿通部８９が設けられており、カバー挿通部８９のサイズは、カバー止め部８３ａの外径より小さい。つまり、転写付勢部材８１に付勢されて当接カバー８３が支持ホルダ８０から突出した際、カバー止め部８３ａがカバー挿通部８９に引っ掛かるので、当接カバー８３が支持ホルダ８０から飛び出すことを規制できる。
【００５４】
（第３実施形態）
次に、本発明の第３実施形態に係る画像形成装置について、図面を参照して説明する。なお、第３実施形態に係る画像形成装置の構造については、第１実施形態および第２実施形態と略同様であるので、説明および図面を省略する。
【００５５】
図７は、用紙ガイドを示す概略斜視図である。なお、図７では、説明のため、用紙ガイド７０のうち、紙面手前側の一部を切断した断面を示している。
【００５６】
第３実施形態では、第１実施形態に対して、用紙ガイド７０の詳細な構造が異なっている。具体的に、用紙ガイド７０は、用紙を静電吸着する静電吸着板７８を有している。用紙ガイド７０では、用紙案内リブ７７によって用紙案内面７３が形成されている。静電吸着板７８は、用紙案内面７３より支持ホルダ８０の側に所定の距離を置いて設置され、用紙を用紙案内リブ７７側に静電的に引き寄せるために、図示しない高圧電源と接続されている。用紙を搬送する際には、用紙の帯電極性と反対の極性の電圧が、電極に印加される。このように、用紙ガイド７０によって用紙を静電吸着することで、用紙の撓みが反転しないように抑制することができる。そのため、周囲に接触して用紙上のトナー像が欠損することを防止できる。
【００５７】
用紙ガイド７０に嵌め込まれた電極（静電吸着板７８）は、断面がコ字状とされており、用紙対向面７９と、用紙対向面７９の両端から延伸された面とが一体とされた金属板で構成されている。複数の面を有する電極を含む構成とすることで、用紙ガイド７０の強度が向上し、定着部１７からの熱を受けて用紙ガイド７０が変形することを抑制できる。
【００５８】
用紙案内リブ７７は、用紙搬送路Ｓに沿って延伸され、用紙の幅方向において位置が異なるように、複数設けられている。複数の用紙案内リブ７７同士の間は、開口しており、開口部の奥に静電吸着板７８が設置されている。このように、用紙案内リブ７７同士の間に開口部を設けた構成では、用紙案内面７３と用紙対向面７９との間に隙間が設けられ、静電吸着板７８による静電電界を効果的に用紙に作用させつつ、静電吸着板７８に用紙が接触・吸着されて発生する紙詰まりを抑制でき、円滑に用紙を搬送することができる。
【００５９】
用紙ガイド７０から支持ホルダ８０の側へ延伸された抜け防止部７６は、ガイド抜け止め部７４の別な形態であって、抜け防止部７６に対応する部分を支持ホルダ８０に設けることで、ガイド抜け止め部７４と同様の機能を奏する。
【００６０】
なお、今回開示した実施の形態は全ての点で例示であって、限定的な解釈の根拠となるものではない。従って、本発明の技術的範囲は、上記した実施の形態のみによって解釈されるものではなく、特許請求の範囲の記載に基づいて画定される。また、特許請求の範囲と均等の意味および範囲内での全ての変更が含まれる。
【符号の説明】
【００６１】
１  画像形成装置
１１  感光体ドラム（感光体の一例）
１５  転写ローラ
１７  定着部（定着ユニットの一例）
６０  転写ユニット
６２  上流側転写位置決め部（転写位置決め部の一例）
６３ａ  第１下流側転写位置決め部（転写位置決め部の一例）
６３ｂ  第２下流側転写位置決め部（転写位置決め部の一例）
６５  転写係止部
７０  用紙ガイド
７１  ガイド位置決め部
７２  ガイド係止部
８０  支持ホルダ
８１  転写付勢部材
８４  ガイド付勢部材
ＫＤ  係止部
【図１】
2019101171.tif 000003
【図２】
2019101171.tif 000004
【図３】
2019101171.tif 000005
【図４】
2019101171.tif 000006
【図５】
2019101171.tif 000007
【図６】
2019101171.tif 000008
【図７】
2019101171.tif 000009